(57)【要約】【課題】使用者がトリートメントを行っていることを実感できるうえに、ジェル等の塗布を必要とせず簡便に使用することができる超音波美容器を提供することを目的とする。【解決手段】本体ハウジング１０の底面に沿って断面多角形の角ローラ２０を回転自在に設置し、この角ローラ２０の少なくともひとつの側面に超音波ヘッド２２０を取付け、そして角ローラ２０内の超音波振動子２００を前記超音波ヘッド２２０に接続すると共に、超音波振動子２００を角ローラ２０の回転軸２４０を経て本体ハウジング１０内のバッテリ電源１００に接続した。【選択図】図１
2008018178.tif 000002
【特許請求の範囲】
【請求項１】
本体ハウジングの底面に沿って断面多角形の角ローラを回転自在に設置し、この角ローラの少なくもひとつの側面に超音波ヘッドを取付け、そして角ローラ内の超音波振動子を前記超音波ヘッドに接続すると共に、超音波振動子を角ローラの回転軸を経て本体ハウジング内のバッテリ電源に接続してなる超音波美容器。
【請求項２】
前記角ローラの側面に、ゲルマニウムの粉末を練り込んだ樹脂板又はトルマリンの粉末を練り込んだ樹脂板のいずれか一方若しくは両方を設置したことを特徴とする請求項１記載の超音波美容器。
【請求項３】
前記角ローラに係合溝を形成し、この係合溝に係合すべき係合部を有するローラ係止具を前記本体ハウジングに取り付けると共に、このローラ係止具を前記角ローラに対し接近離反可能に構成して、
ローラ係止具を角ローラに接近させ又は離反させて前記係合部を前記係合溝に係合し又はその係合を解除して、前記超音波ヘッドが外側を向いた位置で前記角ローラを固定可能としたことを特徴とする請求項１記載の超音波美容器。
【発明の詳細な説明】
【技術分野】
【０００１】
本発明は、超音波による振動を皮膚に伝達してトリートメントを行う超音波美容器に関する。
【背景技術】
【０００２】
超音波振動子を取付けたヘッドを皮膚にあててトリートメントを行うと同時に、ヘッド自体を機械的に振動して皮膚をマッサージする超音波美容器が知られている（特許文献１）。
【０００３】
この種の超音波美容器ではヘッドや皮膚にクリームやジェルなどを塗布して、超音波振動の伝達効率を上げたりヘッドの滑りを良くしたりする。
【特許文献１】特開平２０００−２３３００５号公報
【発明の開示】
【発明が解決しようとする課題】
【０００４】
しかしクリームやジェルを塗ったり拭き取ったりするのは煩雑で、クリーム代も嵩むという問題があった。また、クリームやジェルの代わりに水を用いた場合、ヘッドの滑りが悪くなるため皮膚が引きつれるなどして使い勝手を損ねるという問題があった。
【０００５】
本発明は、クリームやジェルの代りに水を使うが、従来のような皮膚の引きつれもなく、軽快にトリートメントを行える超音波美容器を提供することを目的とする。
【課題を解決するための手段】
【０００６】
前記課題を解決するために、請求項１記載のごとく、本体ハウジングの底面に沿って断面多角形の角ローラを回転自在に設置し、この角ローラの少なくもひとつの側面に超音波ヘッドを取付け、そして角ローラ内の超音波振動子を前記超音波ヘッドに接続すると共に、超音波振動子を角ローラの回転軸を経て本体ハウジング内のバッテリ電源に接続した超音波美容器を提供する。
【０００７】
請求項２記載のごとく、前記角ローラの側面に、ゲルマニウムの粉末を練り込んだ樹脂板、トルマリンの粉末を練り込んだ樹脂板又はこれらの両方を設置したことを特徴とする超音波美容器を提供する。
【０００８】
請求項３記載のごとく、前記角ローラに係合溝を形成し、この係合溝に係合すべき係合部を有するローラ係止具を前記本体ハウジングに取り付けると共に、このローラ係止具を前記角ローラに対し接近離反可能に構成して、ローラ係止具を角ローラに接近させ又は離反させて前記係合部を前記係合溝に係合し又はその係合を解除して、前記超音波ヘッドが外側を向いた位置で前記角ローラを固定可能としたことを特徴とする超音波美容器を提供する。
【発明の効果】
【０００９】
請求項１記載のごとく、電源を内蔵する本体ハウジングに角ローラを回転自在に保持して、角ローラの側面に超音波ヘッドを取り付けたことにより、皮膚に水やお湯などを塗布しておくだけで角ローラを転動して超音波ヘッドによる超音波振動を皮膚に伝達することができるため、クリームやジェルを拭き取ったり洗い流したりする手間が不要で簡便にトリートメントを行うことができる。また、角ローラを転動するとその角と側面が交互に皮膚に当たり、その角により皮膚を刺激すると共にその側面で断続的に皮膚を叩いて心地よいマッサージ効果を得ることができ、相乗的な美肌トリートメント効果を得ることができる。
【００１０】
請求項２記載のごとく、ゲルマニウムやトルマリンを練り込んだ樹脂板を角ローラの側面に設置したことにより、角ローラを転動して皮膚を波立たせることによるマッサージ効果に加えて、ゲルマニウムによる疲労回復効果や、トルマリンから発生するマイナスイオンによるリラックス効果が得られ、角ローラの各側面にそれぞれ効果の異なる樹脂板などを取り付けて、それらの効果を相乗させたトリートメントを行うことができる。
【００１１】
請求項３記載のごとく、簡便な方法により超音波ヘッドが外側を向いた位置で角ローラを固定可能としたことにより、角ローラを転動してトリートメントを行うことができると共に、従来のように超音波ヘッドを皮膚に当てて超音波振動によりトリートメントすることもでき、使用者が適宜選択して所望の方法により美肌トリートメントを行うことができる。そして、使用者の気分や健康状態にあった方法で美肌トリートメントを行うことができるため、興味を持続させることが可能となる。
【発明を実施するための最良の形態】
【００１２】
以下、本発明に係る超音波美容器の実施の形態について図１乃至図５を参照して説明する。図１は、本発明にかかる超音波美容器の実施形態を示す部分断面正面図であり、図２はその側面図、図３は平面図、図４は底面図、図５は背面図である。
【００１３】
本実施形態の超音波美容器１は、本体ハウジング１０と、この本体ハウジング１０に回転自在に保持される角ローラ２０とにより構成する。
【００１４】
本体ハウジング１０は、超音波美容器１を把持するための把持部１１０を有する上部ケース１１と、この上部ケース１１と嵌合して中空構造をなす下部ケース１２と、角ローラ２０を回転自在に保持するための軸受部１３とにより構成されている。
【００１５】
上部ケース１１と下部ケース１２は、嵌合すると共にオーリングなどのシール部材Ｓ１によりシールして中空の防水構造に形成する。この中空部１０４にバッテリ電源１００を設ける。このバッテリ電源１００は、下部ケース１２に形成した充電端子１０１を介して外部電源と接続して充電する。
【００１６】
さらに、下部ケース１２の底面側に電源スイッチ１０３を設ける。この電源スイッチ１０３によりバッテリ電源１００をオン・オフすると共に、超音波出力の出力モードを切替可能に構成する。また、中空部１０４には、複数のＬＥＤチップ（例えば赤と青）からなる電源ランプ１０２を設け、破線で示す付近に、上部ケース１１を透かして電源ランプ１０２の明滅が見えるように構成し、バッテリ電源１００のオン・オフ及び超音波出力のモードに応じて、電源ランプ１０２を赤色や青色で点灯、消灯又は点滅する。
【００１７】
下部ケース１２の下側には、左右に一対の軸受部１３、１３を嵌合固定して板状のシール部材Ｓ２によりシールする。軸受部１３、１３には角ローラ２０を保持する軸受１３０、１３０を向かい合わせに形成する。また、シール部材Ｓ２に板状又は棒状の伝導体１３１を挿通して固定する。この伝導体１３１の一端は中空部１０４に臨ませて導線１３２を介してバッテリ電源１００と接続し、他端には摺動部１３３を設けて軸受１３０に臨ませる。
【００１８】
次に、角ローラ２０について説明する。角ローラ２０は、中空のローラ本体２１の側面に平板２２と超音波ヘッド２２０を設置して形成する。ローラ本体２１は、ローラ本体２１の側面部を構成する断面六角形状のローラ筒体２３とローラ本体２１の底面部を構成するローラ軸部２４とからなり、このローラ筒体２３とローラ軸部２４とをネジ留めすると共にオーリングなどのシール部材Ｓ３によりシールして防水構造に形成する。本実施形態の角ローラ２０は、長さが約１５ｃｍ、側辺の幅が約３ｃｍの六角柱状に形成している。
【００１９】
ローラ筒体２３の側面のうち少なくとも一つに、超音波振動を皮膚に伝達可能な超音波ヘッド２２０を取り付け、この超音波ヘッド２２０に超音波振動子２００を取り付ける。
また、超音波ヘッド２２０を取り付けた側面には貫通穴２３０を形成する。この貫通穴２３０により防水性能が損なわれることがないように、超音波ヘッド２２０は、粘着剤等によりローラ筒体２３の側面に確実に取り付ける。
【００２０】
ローラ軸部２４の回転軸２４０には電気伝導性を有する伝導軸２４１を貫通して固定すると共にシール部材Ｓ４によりシールする。この伝導軸２４１は、一端を回転軸２４０の軸端から覗かせ、他端には導線２４２を取り付けて、貫通穴２３０を介して超音波振動子２００と電気的に接続する。
【００２１】
上記のごとく形成した角ローラ２０の回転軸２４０を軸受部１３の軸受１３０に挿通すると共にシール部材Ｓ５、Ｓ６によりシールする。そして、軸受部１３に設けた伝導体１３１の摺動部１３３を、回転軸２４０の軸端から覗く伝導軸２４１の側面に当接し、バッテリ電源１００に、導線１３２、伝導体１３１、伝導軸２４１及び導線２４２を通じて超音波振動子２００を接続する。
【００２２】
次に、本発明に係る超音波美容器１の使用方法について説明する。
本実施形態に係る超音波美容器１を使用してトリートメントを行うときは、まず、皮膚のトリートメント部を水で濡らしておく。そして、電源スイッチ１０３を押して電源をオンにし、超音波振動子２００を超音波振動させる。超音波振動を開始したら、トリートメント部に角ローラ２０を押し当て、皮膚に密着させた状態で角ローラ２０を転動する。
トリートメントを終了するときは、電源スイッチ１０３により電源をオフにした後、角ローラ２０及びトリートメント部に付着した水滴を拭き取る。
【００２３】
上記のごとく構成した超音波美容器１は以下に述べる効果を奏する。
本発明に係る超音波美容器１によれば、皮膚に水やお湯などを塗布しておくだけで角ローラを転動して超音波ヘッドによる超音波振動を皮膚に伝達することができるため、処理を行う毎に、処理前にはトリートメント部や超音波ヘッドにクリームやジェルを塗布し、処理後にはこれを拭き取ったり洗い流したりする手間が不要で、簡便にトリートメントを行うことができる。さらに、角ローラを転動することによりその角と側面が交互に皮膚に当たり、その角によって皮膚を刺激すると共にその側面によって断続的に皮膚を叩いてマッサージ効果を得ることができ、このマッサージ効果と併せて相乗的な美肌トリートメントを行うことで優れた効果を得ることができる。
【００２４】
さらに、超音波美容器１には防水加工が施されており、水やお湯などの噴流中でトリートメントを行うこともできる。この場合には、超音波振動によるトリートメント効果に加えて、この噴流による皮膚のマッサージ効果と角ローラの転動によるマッサージ効果とを相乗させて、流水中において人体の皮膚が振動するいわゆるフラッター現象のような、さらに効果的なトリートメント効果を得ることができる。
【００２５】
次に、超音波美容器の別の実施形態について、図６及び図７を参照して説明する。
図６は、軸受部を拡大して示す部分断面拡大正面図であり、図７は軸受部を拡大して示す側面図である。本実施形態に係る超音波美容器２は、軸受部１３にローラ係止具１４を取り付け、角ローラ２０に係合溝２１０を形成してなる。
【００２６】
ローラ係止具１４は、軸受部１３に取り付けられる枠状の本体１４０と、角ローラ２０の係合溝２１０に係合される係合部１４１と、ローラ係止具１４を軸受部１３に対して上位置又は下位置に保持するための突部１４３を有する保持部１４２とからなる。
【００２７】
軸受部１３には上下に一対の凹部１３４、１３５を形成する。また、本実施形態に係る角ローラ２０は六角筒状に形成されており、係合溝２１０は、超音波ヘッド２２０を取り付けた側面の対面にあたる側面の両端部に形成する。
【００２８】
このローラ係止具１４を、軸受部１３に沿って上下方向に摺動可能に取り付ける。そして、保持部１４２に形成した突部１４３を軸受部１３の凹部１３４又は凹部１３５の一方に係止して、ローラ係止具１４を上位置又は下位置に保持する。ローラ係止具１４を下位置に保持したときには、係合部１４１がローラ本体２１の係合溝２１０に係合し、超音波ヘッド２２０が外側を向いた位置で角ローラ２０が固定される。
【００２９】
上記のごとく形成した別の実施形態に係る超音波美容器２は、ローラ係止具１４によって角ローラ２０を固定できるため、角ローラ２０を転動してマッサージしながら超音波振動により美肌トリートメントを行ったり、角ローラを固定し超音波ヘッドを皮膚に当てて美肌トリートメントを行ったりすることができ、使用者が適宜選択した所望の方法により美肌トリートメントを行うことができるため、興味を持続させることが可能となる。
【００３０】
本発明に係る超音波美容器１、２において、角ローラ２０は断面六角形状に形成したが、角ローラを断面三角形状乃至五角形状、または七角以上の多角形状に形成してもよい。また、本実施形態の角ローラ２０の側辺の幅は、約３ｃｍに形成したが、これに限定するものではなく、マッサージ効果が得られる大きさであればよい。
身体部分をマッサージするには、例えば、１ｃｍ乃至４ｃｍ程度の範囲が適当であり、２ｃｍ乃至３ｃｍとするのが好ましい。一方、顔部分をマッサージするには、０．５ｃｍ乃至２ｃｍ程度の範囲が適当であり、０．８ｃｍ乃至１．３ｃｍとするのが好ましい。
【００３１】
また、角ローラ２０の側面には、超音波ヘッド２２０の他に平板２２を取り付けているが、平板２２の転動面に凸部を形成するなどして角ローラの転動によるマッサージ効果を向上させることができる。
【００３２】
さらに、平板２２をゲルマニウム鉱石の粉末やトルマリン鉱石の粉末を練り込んだ樹脂板により形成してもよい。例えば図８に示すように、ゲルマニウム樹脂板２２１とトルマリン樹脂板２２２とを組み合わせて配置すると、ゲルマニウム樹脂板２２１によって、生体電流を整え、痛み、コリなどの身体不良を改善する効果を得ると共に、トルマリン樹脂板２２２によって、マイナスイオンによるリラックス効果や、遠赤外線による温熱効果を得ることができる。
【００３３】
皮下脂肪や筋肉が厚い身体部分をトリートメントする場合には５００ｋＨｚ乃至１ＭＨｚ程度の比較的低い周波数の超音波振動によりトリートメントを行うのが好ましく、顔部分などをトリートメントする場合には数ＭＨｚ程度の比較的高い周波数の超音波振動によりトリートメントを行うのが好ましいことから、角ローラの大きさなどに応じて超音波振動の周波数を１００ｋＨｚ乃至１０ＭＨｚとする。
【００３４】
また、複数の超音波振動子を取付けて、スイッチ（図示せず）などにより使用する超音波振動子を切換えて周波数を変化させてもよい。
例えば、ローラ係止具１４の操作により周波数を切換えるように構成し、角ローラ２０を転動して身体部分をマッサージする場合には低い周波数の超音波振動によりトリートメントを行い、角ローラ２０を固定した場合には高い周波数の超音波振動によりトリートメントを行う。
【図面の簡単な説明】
【００３５】
【図１】本発明に係る超音波美容器の実施形態を示す部分断面正面図である。
【図２】超音波美容器の側面図である。
【図３】超音波美容器の平面図である。
【図４】超音波美容器の底面図である。
【図５】超音波美容器の背面図である。
【図６】超音波美容器の別の実施形態を示す部分断面拡大正面図である。
【図７】超音波美容器の別の実施形態を示す拡大側面図である。
【図８】角ローラの別の実施形態を示す側面図である。
【符号の説明】
【００３６】
１、２          超音波美容器
１０            本体ハウジング
１００          バッテリ電源
１０１          充電端子
１０２          電源ランプ
１０３          電源スイッチ
１０４          中空部
１１            上部ケース
１１０          把持部
１２            下部ケース
１３            軸受部
１３０          軸受
１３１          伝導体
１３２          導線
１３３          摺動部
１３４、１３５  凹部
１４            ローラ係止具
１４０          本体
１４１          係合部
１４２          保持部
１４３          突部
２０            角ローラ
２００          超音波振動子
２１            ローラ本体
２１０          係合溝
２２            平板
２２０          超音波ヘッド
２２１          ゲルマニウム樹脂板
２２２          トルマリン樹脂板
２３            ローラ筒体
２３０          貫通穴
２４            ローラ軸部
２４０          回転軸
２４１          伝導軸
２４２          導線
Ｓ１〜Ｓ６      シール部材
【図１】
2008018178.tif 000003
【図２】
2008018178.tif 000004
【図３】
2008018178.tif 000005
【図４】
2008018178.tif 000006
【図５】
2008018178.tif 000007
【図６】
2008018178.tif 000008
【図７】
2008018178.tif 000009
【図８】
2008018178.tif 000010